(57)【要約】      （修正有）【課題】そのデータの更新や共有、交換が可能な指紋照合および／または顔画像認識により居住者にとって好ましくない要注意人物を早期に発見／通報して防犯性および安全性を高める。【解決手段】玄関子機１ａ、１ｂ、１ｃ、１ｄ、・・・１ｎの呼出ボタン１０を操作するような呼出操作を行った人物が居住者にとって好ましくない要注意人物であるか否かの識別を、呼出ボタンと一体の指紋検出部１０ａにて検出された指紋データと、室内親機４ａ、４ｂ、４ｃ、４ｄ、・・・４ｎの居住者用メモリ４４ａおよび警戒用メモリ４４ｂに登録されている指紋データとの照合で行い、警戒用メモリに登録されている居住者にとって好ましくない要注意人物の指紋データと一致した場合には、室内親機にて警報の発報を行うとともに外部サーバ７に自動通報を行う。【選択図】図２
2006101199.tif 000002
【特許請求の範囲】
【請求項１】
玄関子機（１ａ、１ｂ、１ｃ、１ｄ、・・・１ｎ）の指紋検出部（１０ａ）にて検出された人物の指紋を登録された指紋と照合することによって電気錠（２ａ、２ｂ、２ｃ、２ｄ、・・・２ｎ）を解錠し、或いは室内親機（４ａ、４ｂ、４ｃ、４ｄ、・・・４ｎ）を呼び出して通話状態となるインターホンシステムにおいて、
前記室内親機は、前記指紋を登録するためのメモリとして、居住者の指紋を登録するための居住者用メモリ（４４ａ）と、要注意人物の指紋を登録するための警戒用メモリ（４４ｂ）とにグループ分けし、前記警戒用メモリの書き換えを行うための書換手段（４３）を備えたことを特徴とするインターホンシステム。
【請求項２】
前記室内親機は、前記警戒用メモリのデータを前記書換手段により更新するためにネットワーク（７）を介して外部サーバ（６）に接続するインターフェース（４９）を備えたことを特徴とする請求項１記載のインターホンシステム。
【請求項３】
前記室内親機は、前記警戒用メモリに登録された指紋を認識した場合に、ネットワーク（７）を介して外部サーバ（６）に警報信号を送出するためのインターフェース（４９）を備えたことを特徴とする請求項１記載のインターホンシステム。
【請求項４】
前記室内親機または前記玄関子機は、前記警戒用メモリのデータを送受信するために近隣の他の室内親機または他の玄関子機に接続するためのインターフェース（４８）を備えたことを特徴とする請求項１乃至請求項３のうち何れか１項記載のインターホンシステム。
【請求項５】
前記警戒用メモリは、一定時間経過後のデータを削除することを特徴とする請求項１乃至請求項４のうち何れか１項記載のインターホンシステム。
【請求項６】
前記警戒用メモリは、前記要注意人物の注意度によって消去までの期間を可変するための識別符号を備えたことを特徴とする請求項５記載のインターホンシステム。
【請求項７】
玄関子機（１ａ、１ｂ、１ｃ、１ｄ、・・・１ｎ）の指紋検出部（１０ａ）にて検出された人物の指紋を登録された指紋と照合することによって電気錠（２ａ、２ｂ、２ｃ、２ｄ、・・・２ｎ）を解錠し、或いは室内親機（４ａ、４ｂ、４ｃ、４ｄ、・・・４ｎ）を呼び出して通話状態となるインターホンシステムにおいて、
前記室内親機は、前記指紋を登録するためのメモリとして、居住者の指紋を登録するための居住者用メモリ（４４ａ）と、前記居住者用メモリに登録されていない指紋情報を問い合せるためにネットワーク（７）を介して外部サーバ（６）に接続するインターフェース（４９）とを備え、
前記外部サーバは、要注意人物の指紋を登録するための警戒用メモリ（６０ａ）と、前記警戒用メモリに登録された指紋を認識した場合に警報を発報するための警報報知部（６１ａ）とを備えたことを特徴とするインターホンシステム。
【請求項８】
前記指紋検出部は、前記玄関子機の呼出ボタン（１０）に設けたことを特徴とする請求項１乃至請求項７のうち何れか１項記載のインターホンシステム。
【請求項９】
前記指紋検出部に代えて、前記人物の顔画像を認識するための顔画像認識部（５０）を備え、指紋照合に代えて顔画像認識を行うことを特徴とする請求項１乃至請求項８のうち何れか１項記載のインターホンシステム。
【請求項１０】
前記指紋検出部と、前記人物の顔画像を認識するための顔画像認識部（５０）とを備え、指紋照合と顔画像認識を併用することを特徴とする請求項１乃至請求項８のうち何れか１項記載のインターホンシステム。
【請求項１１】
前記顔画像認識部は、前記顔画像として前記玄関子機のカメラ（１１）にて撮像された映像を使用することを特徴とする請求項９または請求項１０記載のインターホンシステム。
【請求項１２】
前記顔画像認識部は、前記顔画像として前記玄関子機の近傍に設置された外部カメラ（３ａ、３ｂ、３ｃ、３ｄ、・・・３ｎ）にて撮像された映像を使用することを特徴とする請求項９乃至請求項１１のうち何れか１項記載のインターホンシステム。
【発明の詳細な説明】
【技術分野】
【０００１】
本発明は、無線ネットワーク等のネットワークを利用したインターホンシステムに係り、特に、防犯性および安全性を高めたインターホンシステムに関する。
【背景技術】
【０００２】
従来から、来訪者の招じ入れの可否を適切に判断できる指紋照合機能を有したインターホン及びそのシステムが開示されている（例えば、特許文献１を参照。）。
【０００３】
従来例の指紋照合機能を有したインターホン及びそのシステムによれば、指紋読取機器を呼出ボタンに一体化させているので、来訪者に気づかれないように指紋を読み取ることができ、また、拒否すべき人物の指紋データを登録しておけば、読み取った指紋データと登録された指紋データと比較して、その来訪者の招じ入れを自動判断でき、住人は応答することなく、招かざる来訪者などを拒否することができる。
【０００４】
【特許文献１】特開２００３−１０１６４８号公報（段落番号０００８、００２０〜００４１）
【発明の開示】
【発明が解決しようとする課題】
【０００５】
しかしながら、従来例の指紋照合機能を有したインターホン及びそのシステムでは、拒否すべき人物の指紋データを更新するための方法が何ら明示されておらず、新たな拒否すべき人物への対応ができない難点があった。
【０００６】
また、従来例の指紋照合機能を有したインターホン及びそのシステムでは、自動判断された来訪者の招じ入れに関する警報を、マンション等の共同玄関部に設置された指紋照合機能付ロビーインターホンにて報知、例えば、音声や照明点滅で報知したが、この警報を自住戸の近隣住戸や警備会社等の移報させることができないばかりでなく、自住戸と近隣住戸との間で招かざる来訪者の指紋データの共有、交換ができない難点があった。
【０００７】
さらに、従来例の指紋照合機能を有したインターホン及びそのシステムにおいて、来訪者の招じ入れを自動判断するために使用される指紋データは、そのデータの特性から変化が著しく、指紋データのみで来訪者の認識率を高めることは困難であるばかりでなく、指紋読取機器が呼出ボタンに一体化されていることが知られてしまい、手袋の装着された指で呼出ボタンが操作されると、来訪者の招じ入れを自動判断できない難点があった。
【０００８】
本発明は、上述の難点を解消するためになされたもので、そのデータの更新や共有、交換が可能な指紋照合および／または顔画像認識により居住者にとって好ましくない要注意人物を早期に発見／通報して防犯性および安全性を高めたインターホンシステムを提供することを目的としている。
【課題を解決するための手段】
【０００９】
上述の目的を達成するため、本発明のインターホンシステムは、玄関子機の指紋検出部にて検出された人物の指紋を登録された指紋と照合することによって電気錠を解錠し、或いは室内親機を呼び出して通話状態となる当該システムである。室内親機は、指紋を登録するためのメモリとして、居住者の指紋を登録するための居住者用メモリと、要注意人物の指紋を登録するための警戒用メモリとにグループ分けし、警戒用メモリの書き換えを行うための書換手段を備えたものである。
【００１０】
また、本発明のインターホンシステムにおいて、室内親機は、警戒用メモリのデータを書換手段により更新するためにネットワークを介して外部サーバに接続するインターフェースを備えたものである。
【００１１】
また、本発明のインターホンシステムにおいて、室内親機は、警戒用メモリに登録された指紋を認識した場合に、ネットワークを介して外部サーバに警報信号を送出するためのインターフェースを備えたものである。
【００１２】
また、本発明のインターホンシステムにおいて、室内親機または玄関子機は、警戒用メモリのデータを送受信するために近隣の他の室内親機または他の玄関子機に接続するためのインターフェースを備えたものである。
【００１３】
また、本発明のインターホンシステムにおいて、警戒用メモリは、一定時間経過後のデータを削除するものである。
【００１４】
また、本発明のインターホンシステムにおいて、警戒用メモリは、要注意人物の注意度によって消去までの期間を可変するための識別符号を備えたものである。
【００１５】
また、本発明のインターホンシステムは、玄関子機の指紋検出部にて検出された人物の指紋を登録された指紋と照合することによって電気錠を解錠し、或いは室内親機を呼び出して通話状態となる当該システムである。室内親機は、指紋を登録するためのメモリとして、居住者の指紋を登録するための居住者用メモリと、居住者用メモリに登録されていない指紋情報を問い合せるためにネットワークを介して外部サーバに接続するインターフェースとを備えたものである。外部サーバは、要注意人物の指紋を登録するための警戒用メモリと、警戒用メモリに登録された指紋を認識した場合に警報を発報するための警報報知部とを備えたものである。
【００１６】
また、本発明のインターホンシステムにおいて、指紋検出部は、玄関子機の呼出ボタンに設けられている。
【００１７】
また、本発明のインターホンシステムは、指紋検出部に代えて、人物の顔画像を認識するための顔画像認識部を備え、指紋照合に代えて顔画像認識を行うものである。
【００１８】
また、本発明のインターホンシステムは、指紋検出部と、人物の顔画像を認識するための顔画像認識部とを備え、指紋照合と顔画像認識を併用するものである。
【００１９】
また、本発明のインターホンシステムにおいて、顔画像認識部は、顔画像として玄関子機のカメラにて撮像された映像を使用するものである。
【００２０】
また、本発明のインターホンシステムにおいて、顔画像認識部は、顔画像として玄関子機の近傍に設置された外部カメラにて撮像された映像を使用するものである。
【発明の効果】
【００２１】
本発明のインターホンシステムによれば、玄関子機の呼出ボタンを操作するような呼出操作を行った人物が居住者にとって好ましくない要注意人物であるか否かの識別を、呼出ボタンと一体の指紋検出部にて検出された指紋データ、玄関子機のカメラおよび／または外部カメラにて撮像された映像から顔画像認識部にて認識された顔画像データ、或いはこれらの指紋データおよび顔画像データと、室内親機の居住者用メモリおよび警戒用メモリ、或いは外部サーバの警戒用メモリに登録されている指紋データおよび／または顔画像データとの照合で行い、何れかの警戒用メモリに登録されている居住者にとって好ましくない要注意人物の指紋データおよび／または顔画像データと一致した場合には、室内親機おにて警報の発報を行うとともに外部サーバに自動通報を行うことができ、防犯性および安全性が高められる。
【００２２】
また、本発明のインターホンシステムによれば、室内親機の警戒用メモリに登録される居住者にとって好ましくない要注意人物の指紋データおよび／または顔画像データを、外部サーバからの制御により最新のデータへと容易に更新することができる。
【００２３】
さらに、本発明のインターホンシステムによれば、室内親機の警戒用メモリに予め登録された居住者にとって好ましくない要注意人物の指紋データおよび／または顔画像データを、その他の室内親機へと転送させて警戒用メモリに登録することができ、複数の室内親機にて要注意人物の指紋データおよび／または顔画像データの共有が可能となる。これにより、近隣住戸に訪問する可能性が高い要注意人物に対してトラブルの発生を未然に防止することができる。
【発明を実施するための最良の形態】
【００２４】
以下、本発明のインターホンシステムを適用した最良の実施の形態例について、図面を参照して説明する。
【００２５】
図１は、本発明の後述する各実施例によるインターホンシステムの構成を示すシステム説明図である。
【００２６】
図１のシステム説明図に示すインターホンシステムは、複数の住戸の各住戸外、例えば、玄関（以下、住戸玄関という。）にそれぞれ設置される玄関子機１ａ、１ｂ、１ｃ、１ｄ、・・・１ｎと、各住戸の玄関ドアを施解錠するための電気錠２ａ、２ｂ、２ｃ、２ｄ、・・・２ｎと、玄関子機１ａ、１ｂ、１ｃ、１ｄ、・・・１ｎの近傍に設置され、住戸玄関の周囲環境の映像を撮像するためのＣＣＤ（Charge Coupled Devices）、ＣＭＯＳ（Complementary Metal Oxide Semiconductor）等の外部カメラ３ａ、３ｂ、３ｃ、３ｄ、・・・３ｎと、複数の住戸の各住戸内にそれぞれ設置されており、子機ラインＬ1a、Ｌ1b、Ｌ1c、Ｌ1d、・・・Ｌ1nを介して接続された玄関子機１ａ、１ｂ、１ｃ、１ｄ、・・・１ｎ、電気錠ラインＬ2a、Ｌ2b、Ｌ2c、Ｌ2d、・・・Ｌ2nを介して接続された電気錠２ａ、２ｂ、２ｃ、２ｄ、・・・２ｎ、カメララインＬ3a、Ｌ3b、Ｌ3c、Ｌ3d、・・・Ｌ3nを介して接続された外部カメラ３ａ、３ｂ、３ｃ、３ｄ、・・・３ｎをそれぞれ制御するための室内親機４ａ、４ｂ、４ｃ、４ｄ、・・・４ｎと、マルチホップ接続された室内親機４ａ、４ｂ、４ｃ、４ｄ、・・・４ｎの間で通信データを送受信するための無線または有線のネットワーク、ここでは、無線ネットワーク５と、警報会社や警察署等に設置される外部サーバ６と、室内親機４ａ、４ｂ、４ｃ、４ｄ、・・・４ｎおよび外部サーバ６の間の通信を行うためのネットワーク７とから構成されている。
【００２７】
なお、前述のマルチホップ接続とは、インターネット等の無線または有線のネットワークへと繋がるゲートウェイ装置と端末とがデータの送受信を行う場合に、通信データを端末から端末ヘとリレー式に受け渡す接続手法である。
【００２８】
図１のシステム説明図において、玄関子機１ａ、１ｂ、１ｃ、１ｄ、・・・１ｎはそれぞれ同様な構成であり、住戸玄関に居る人物が呼出操作を行うための呼出ボタン１０と、呼出操作を行った人物（住戸玄関の周囲環境を含む）の映像を撮像するためのＣＣＤ、ＣＭＯＳ等のカメラ（以下、子機カメラという。）１１と、呼出操作を行った人物が呼出相手先の居住者との間で通話を成立させるための音声（送話音声、受話音声）を入出力するマイク、スピーカ等の通話部１２とを有している。
【００２９】
また、室内親機４ａ、４ｂ、４ｃ、４ｄ、・・・４ｎはそれぞれ同様な構成であり、玄関子機１ａ、１ｂ、１ｃ、１ｄ、・・・１ｎの呼出ボタン１０を操作した住戸玄関に居る人物からの呼び出しを報知するための呼出音（音声メッセージを含む）、解錠操作があった旨の確認音（音声メッセージを含む）や後述する警報音（音声メッセージを含む）等を放音するためのスピーカ、住戸玄関に居る人物からの呼び出しを確認した居住者が応答して通話を成立させるための音声（送話音声、受話音声）を入出力するハンドセット等の呼出報知／通話部４０と、玄関子機１ａ、１ｂ、１ｃ、１ｄ、・・・１ｎの子機カメラ１１および／または外部カメラ３ａ、３ｂ、３ｃ、３ｄ、・・・３ｎにて撮像された映像や後述する呼出報知データ、解錠確認データまたは警報報知データ等を出画するためのＬＣＤ（Liquid Crystal Display）、有機ＥＬ（Electro Luminescence）ディスプレイ等のモニタ４１と、施錠されている電気錠２ａ、２ｂ、２ｃ、２ｄ、・・・２ｎを居住者が手動で解錠させるための解錠操作や外部カメラ３ａ、３ｂ、３ｃ、３ｄ、・・・３ｎを居住者が手動で駆動（パン・チルト動作を含む）させるための駆動操作等が行われる電気錠ボタン、タッチパネル等の操作部４２とを有している。
［第１の実施例］
図２は、本発明の第１の実施例によるインターホンシステムの具体的な構成を示すブロック図である。
【００３０】
図２のブロック図に示すインターホンシステムにおいて、玄関子機１ａ、１ｂ、１ｃ、１ｄ、・・・１ｎはそれぞれ同様な構成であり、図１のシステム説明図に示す呼出ボタン１０、子機カメラ１１、通話部１２と、呼出ボタン１０と一体して設けられ、当該呼出ボタンを操作した人物の指紋を検出するための指紋検出部１０ａと、当該玄関子機の構成各部をそれぞれ制御するためのＣＰＵ（以下、子機ＣＰＵという。）１３と、子機カメラ１１、通話部１２、子機ＣＰＵ１３の構成各部および子機ラインＬ1a、Ｌ1b、Ｌ1c、Ｌ1d、・・・Ｌ1nの間における通信データの信号伝送路をそれぞれ形成するためのインターフェース（以下、子機Ｉ／Ｆというという）１４とが備えられている。
【００３１】
また、室内親機４ａ、４ｂ、４ｃ、４ｄ、・・・４ｎはそれぞれ同様な構成であり、図１のシステム説明図に示す呼出報知／通話部４０、モニタ４１、操作部４２と、当該室内親機の構成各部をそれぞれ制御するためのＣＰＵ（以下、親機ＣＰＵという。）４３と、玄関子機１ａ、１ｂ、１ｃ、１ｄ、・・・１ｎの指紋検出部１０ａにて検出された指紋を照合するための指紋（以下、指紋データという。）を登録させるにあたり、書換手段をなす親機ＣＰＵ４３の制御により書き換えが可能であり、帰宅時における居住者の指紋データが登録されるＲＡＭ（Random Access Memory）等の居住者用メモリ４４ａおよび当該居住者用メモリとグループ分けされ、居住者にとって好ましくない悪質な訪問販売員、新興宗教の勧誘者等の来訪者、ストーカー加害者、指名手配犯等の要注意人物の指紋データが登録されるＲＡＭ等の警戒用メモリ４４ｂと、呼出報知／通話部４０、親機ＣＰＵ４３および子機ラインＬ1a、Ｌ1b、Ｌ1c、Ｌ1d、・・・Ｌ1nの間における通信データの信号伝送路をそれぞれ形成するためのインターフェース（以下、子機側親機Ｉ／Ｆという。）４５と、親機ＣＰＵ４３および電気錠ラインＬ2a、Ｌ2b、Ｌ2c、Ｌ2d、・・・Ｌ2nの間における通信データの信号伝送路を形成するためのインターフェース（以下、電気錠側親機Ｉ／Ｆという。）４６と、親機ＣＰＵ４３およびカメララインＬ3a、Ｌ3b、Ｌ3c、Ｌ3d、・・・Ｌ3nの間にける通信データの信号伝送路を形成するためのインターフェース（以下、カメラ側親機Ｉ／Ｆという。）４７と、親機ＣＰＵ４３および無線ネットワーク５の間における通信データの信号伝送路を形成するためのインターフェース（以下、他住戸側親機Ｉ／Ｆという。）４８と、親機ＣＰＵ４３およびネットワーク７の間における通信データの信号伝送路を形成するためのインターフェース（以下、外部サーバ側親機Ｉ／Ｆという。）４９とが備えられている。
【００３２】
このように構成された本発明の第１の実施例によるインターホンシステムにおいて、以下、具体的な動作について、図１のシステム説明図および図２のブロック図をそれぞれ参照して説明する。
【００３３】
図１のシステム説明図において、警備会社や警察署等に設置された外部サーバ６は、居住者にとって好ましくない悪質な訪問販売員、新興宗教の勧誘者等の来訪者、ストーカー加害者、指名手配犯等の注意度に応じて割り当てられた識別符号が異なる要注意人物の最新の指紋データ（以下、外部配信指紋データという。）を定期的にネットワーク７へと配信している。この外部配信指紋データは、外部サーバ６からネットワーク７、図２のブロック図に示す各室内親機４ａ、４ｂ、４ｃ、４ｄ、・・・４ｎの外部サーバ側親機Ｉ／Ｆ４９を介して親機ＣＰＵ４３へとそれぞれ伝送される。
【００３４】
図２のブロック図において、各室内親機４ａ、４ｂ、４ｃ、４ｄ、・・・４ｎの親機ＣＰＵ４３は、それぞれ外部サーバ６からの外部配信指紋データを警戒用メモリ４４ｂへと送出し、当該警戒用メモリに登録させるデータを更新することができ、この警戒用メモリ４４ｂには、居住者にとって好ましくない悪質な訪問販売員、新興宗教の勧誘者等の来訪者、ストーカー加害者、指名手配犯等の要注意人物の指紋データが登録されることになる。
【００３５】
次に、図１のシステム説明図において、複数の住戸の住戸玄関にそれぞれ設置された玄関子機１ａ、１ｂ、１ｃ、１ｄ、・・・１ｎのうち、ここでは、玄関子機１ａが設置された住戸玄関に居る人物が帰宅時における居住者であった場合、この居住者が玄関子機１ａの呼出ボタン１０に自己の指を触れると、指紋検出部１０ａにて指紋データが検出される。この指紋データは、図２のブロック図に示す玄関子機１ａの子機ＣＰＵ１３から子機Ｉ／Ｆ１４、子機ラインＬ1a、室内親機４ａの子機側親機Ｉ／Ｆ４５を介して親機ＣＰＵ４３へと伝送される。
【００３６】
図２のブロック図において、室内親機４ａの親機ＣＰＵ４３は、玄関子機１ａからの指紋データと居住者用メモリ４４ａおよび警戒用メモリ４４ｂにそれぞれ登録されている複数の指紋データとを照合する。ここでは、居住者用メモリ４４ａに登録されている指紋データと一致することから、これを検出した親機ＣＰＵ４３は、帰宅時における居住者からの解錠操作があった旨の確認音（音声メッセージを含む）を呼出報知／通話部４０から放音させるとともに、同様に検出された旨の解錠確認データをモニタ４１に出画し、併せて施錠されている電気錠２ａを解錠させるための解錠制御信号を生成する。この解錠制御信号は、親機ＣＰＵ４３から電気錠側親機Ｉ／Ｆ４６、電気錠ラインＬ2aを介して同図および図１のシステム説明図に示す電気錠２ａへと伝送され、電気錠２ａを解錠させることにより、帰宅時における居住者は、解錠された玄関ドアを介して住戸内に入ることができる。
【００３７】
次に、図１のシステム説明図において、玄関子機１ａが設置された住戸玄関に居る人物が玄関子機１ａの呼出ボタン１０を操作すると、指紋検出部１０ａにて指紋データが検出される。図２のブロック図に示す玄関子機１ａの子機ＣＰＵ１３は、呼出ボタン１０が操作された旨の呼出信号と前述の指紋データとを子機Ｉ／Ｆ１４、子機ラインＬ1a、室内親機４ａの子機側親機Ｉ／Ｆ４５を介して親機ＣＰＵ４３に出力する。
【００３８】
図２のブロック図において、室内親機４ａの親機ＣＰＵ４３は、玄関子機１ａからの呼出信号および指紋データのうち、呼出信号をもとに住戸玄関に居る人物からの呼び出しがあることを検出し、その旨の呼出音（音声メッセージを含む）を呼出報知／通話部４０から放音させるとともに、同様に検出された旨の呼出報知データをモニタ４１に出画させ、併せて玄関子機１ａの子機カメラ１１および／または外部カメラ３ａを駆動させるための駆動制御信号を生成、ここでは、玄関子機１ａの子機カメラ１１を駆動させるための駆動制御信号を生成し前述の呼出信号および指紋データと逆の経路を介して玄関子機１ａの子機ＣＰＵ１３に出力する。
【００３９】
また、玄関子機１ａの子機ＣＰＵ１３は、室内親機４ａからの駆動制御信号をもとに子機カメラ１１を駆動して呼出操作を行った人物（住戸玄関の周囲環境を含む）の映像の撮像を開始させる。この子機カメラ１１にて撮像された映像は、適宜、信号処理された映像信号として、子機Ｉ／Ｆ１４、子機ラインＬ1a、室内親機４ａの子機側親機Ｉ／Ｆ４５、親機ＣＰＵ４３を介してモニタ４１へと伝送されることにより、モニタ４１には、呼出操作を行った人物（住戸玄関の周囲環境を含む）の映像を出画させることができる。
【００４０】
さらに、玄関子機１ａからの呼出信号および指紋データのうち、呼出信号をもとに住戸玄関に居る人物からの呼び出しがあることを検出した室内親機４ａの親機ＣＰＵ４３は、玄関子機１ａからの指紋データと居住者用メモリ４４ａおよび警戒用メモリ４４ｂにそれぞれ登録されている複数の指紋データとを照合する。
【００４１】
ここで、玄関子機１ａからの指紋データが室内親機４ａの警戒用メモリ４４ｂに登録されている指紋データと一致した場合、すなわち、玄関子機１ａにて呼出操作を行った人物が居住者にとって好ましくない悪質な訪問販売員、新興宗教の勧誘者等の来訪者、ストーカー加害者、指名手配犯等の要注意人物であった場合には、これを検出した親機ＣＰＵ４３の制御により、その旨の警報音（音声メッセージを含む）が呼出報知／通話部４０から放音されるとともに、同様に検出された旨の警報報知データがモニタ４１に出画され、併せて外部サーバ６に通報（警報移報）するための警報信号が生成される。この警報信号は、親機ＣＰＵ４３から外部サーバ側親機Ｉ／Ｆ４９、ネットワーク７を介して外部サーバ６へと伝送される。
【００４２】
外部サーバ６では、室内親機４ａからの警報信号をもとに、玄関子機１ａにて呼出操作を行った人物が居住者にとって好ましくない悪質な訪問販売員、新興宗教の勧誘者等の来訪者、ストーカー加害者、指名手配犯等の要注意人物であった旨の自動通報が行われる。
【００４３】
一方、玄関子機１ａからの指紋データが室内親機４ａの居住者用メモリ４４ａおよび警戒用メモリ４４ｂにそれぞれ登録されている複数の指紋データと何れも一致せず、呼出報知／通話部４０から放音された呼出音（音声メッセージを含む）およびモニタ４１に出画された映像をもとに、呼出操作を行った人物を当該人物の識別と併せて確認した居住者が必要に応じて適宜、応答すると、この居住者が使用する呼出報知／通話部４０から子機側親機Ｉ／Ｆ４５、子機ラインＬ1a、玄関子機１ａの子機Ｉ／Ｆ１４を介して呼出元の人物が使用する通話部１２との間の通話路が形成され、形成された通話路を介して音声信号を送受信させることにより通話が成立する。
【００４４】
また、玄関子機１ａからの指紋データが室内親機４ａの居住者用メモリ４４ａおよび警戒用メモリ４４ｂにそれぞれ登録されている複数の指紋データと何れも一致せず、モニタ４１に出画されている映像をもとに呼出操作を行った人物が新たな要注意人物であると認識した居住者が、操作部４２にて所定の登録／転送操作（詳述せず）を行うと、この操作を検出した親機ＣＰＵ４３の制御により、要注意人物の指紋データが警戒用メモリ４４ｂへと新たに登録されるとともに、この指紋データが前述の警報信号と同様な経路を介して外部サーバ６へと伝送（転送）される。
【００４５】
外部サーバ６では、室内親機４ａからの指紋データを犯暦情報等と照合する方法を使用して新たな指名手配犯等の要注意人物の情報を発見することができる。
【００４６】
次に、複数の住戸の住戸内にそれぞれ設置された室内親機４ａ、４ｂ、４ｃ、４ｄ、・・・４ｎのうち、ここでは、室内親機４ｂが設置された住戸内に在室中の居住者にとって好ましくない悪質な訪問販売員、新興宗教の勧誘者等の来訪者、ストーカー加害者、指名手配犯等の要注意人物の指紋データが警戒用メモリ４４ｂに予め登録されている場合において、近隣の住戸への警戒設定を行うために、操作部４２にて所定の設定操作（詳述せず）が行われると、この操作を検出した親機ＣＰＵ４３の制御により、近隣の住戸へ訪れる虞がある要注意人物の情報として警戒用メモリ４４ｂから要注意人物の指紋データが読み出される。この指紋データには室内親機４ａ、４ｃをそれぞれ指定するための選局アドレスが付加され、親機ＣＰＵ４３から他住戸側親機Ｉ／Ｆ４８、無線ネットワーク５、室内親機４ｂを除く他の当該室内親機である各室内親機４ａ、４ｃ、４ｄ、・・・４ｎの他住戸側親機Ｉ／Ｆ４８を介して親機ＣＰＵ４３へとそれぞれ伝送される。
【００４７】
室内親機４ｂを除く他の当該室内親機である各室内親機４ａ、４ｃ、４ｄ、・・・４ｎの親機ＣＰＵ４３は、それぞれ室内親機４ｂからの指紋データに付加されている選局アドレスと自親機のアドレスとを照合し、一致した場合にのみ警戒用メモリ４４ｂへと指紋データを新たに登録することができる。ここでは、各室内親機４ａ、４ｃの親機ＣＰＵ４３にてアドレスが一致し、室内親機４ｂからの指紋データを警戒用メモリ４４ｂへとそれぞれ新たに登録して共有することができる。
【００４８】
また、室内親機４ｂからの指紋データが警戒用メモリ４４ｂへとそれぞれ新たに登録された各室内親機４ａ、４ｃのうち、ここでは、室内親機４ｃでは、この指紋データに該当する要注意人物により玄関子機１ｃの呼出ボタン１０が操作された場合、指紋検出部１０ａにて検出された指紋データと警戒用メモリ４４ｂに登録されている指紋データとが一致し、これを検出した親機ＣＰＵ４３の制御により、その旨の警報音（音声メッセージを含む）が呼出報知／通話部４０から放音されるとともに、同様に検出された旨の警報報知データがモニタ４１に出画され、併せて外部サーバ６に通報（警報移報）するための警報信号が生成されて当該外部サーバにて前述のような自動通報が行われるばかりでなく、警戒用メモリ４４ｂに登録されている指紋データを、親機ＣＰＵ４３から他住戸側親機Ｉ／Ｆ４８、無線ネットワーク５、室内親機４ｃの近隣である室内親機４ｄの他住戸側親機Ｉ／Ｆ４８を介して親機ＣＰＵ４３へと伝送させ、この親機ＣＰＵ４３の制御により室内親機４ｃからの指紋データを警戒用メモリ４４ｂへと新たに登録して共有することができる。
【００４９】
前述のように、室内親機４ｂが設置された住戸内に在室中の居住者にとって好ましくない悪質な訪問販売員、新興宗教の勧誘者等の来訪者、ストーカー加害者、指名手配犯等の要注意人物の指紋データを、この要注意人物の移動範囲に応じて伝送範囲を拡充することができ、データ伝送の信頼性／精度も高められる。
【００５０】
また、各室内親機４ａ、４ｂ、４ｃ、４ｄ、・・・４ｎの警戒用メモリ４４ｂにそれぞれ登録される指紋データは一定時間後に削除され、この削除までの期間は、外部サーバ６から配信される外部配信指紋データと同様、居住者にとって好ましくない悪質な訪問販売員、新興宗教の勧誘者等の来訪者、ストーカー加害者、指名手配犯等の要注意人物の注意度に応じて付与された識別符号の相違に基づき可変されることから、警戒用メモリ４４ｂの容量に影響を与えずに当該メモリの有効利用が図れる。
【００５１】
なお、本発明の第１の実施例においては、玄関子機１ａからの呼出信号をもとに住戸玄関に居る人物からの呼び出しがあることを検出した室内親機４ａの親機ＣＰＵ４３が駆動制御する当該カメラを玄関子機１ａの子機カメラ１１のみとし、この子機カメラ１１にて撮像された映像をモニタ４１に出画させたが、これに限定されず、玄関子機１ａの子機カメラ１１および／または外部カメラ３ａを駆動させ、駆動された当該カメラにて撮像された映像をモニタ４１に出画することができる。
［第２の実施例］
次に、本発明の第２の実施例によるインターホンシステムについて説明する。
【００５２】
なお、本発明の第２の実施例において、前述の第１の実施例と同様な構成（および動作）についての説明は省略する。
【００５３】
図３は、本発明の第２の実施例によるインターホンシステムの具体的な構成を示すブロック図である。
【００５４】
図３のブロック図に示すインターホンシステムにおいて、室内親機４ａ、４ｂ、４ｃ、４ｄ、・・・４ｎはそれぞれ同様な構成であり、呼出報知／通話部４０、モニタ４１、操作部４２、親機ＣＰＵ４３、居住者用メモリ４４ａ、子機側親機Ｉ／Ｆ４５、電気錠側親機Ｉ／Ｆ４６、カメラ側親機Ｉ／Ｆ４７、他住戸側親機Ｉ／Ｆ４８、外部サーバ側親機Ｉ／Ｆ４９が備えられている。
【００５５】
また、外部サーバ６は、居住者にとって好ましくない悪質な訪問販売員、新興宗教の勧誘者等の来訪者、ストーカー加害者、指名手配犯等の要注意人物の最新の指紋データが登録される警戒用メモリ６０ａと、警戒用メモリ６０ａに登録された指紋データを一致した場合に警報を発報するためのスピーカ、ＣＲＴ（Cathode Ray Tube）、ＬＣＤ、有機ＥＬディスプレイ等の警報報知部６１ａとが備えられている。
【００５６】
このように構成された本発明の第２の実施例によるインターホンシステムにおいて、以下、具体的な動作について、図１のシステム説明図および図３のブロック図をそれぞれ参照して説明する。
【００５７】
図３のブロック図において、警備会社や警察署等に設置された外部サーバ６の警戒用メモリ６０ａには、居住者にとって好ましくない悪質な訪問販売員、新興宗教の勧誘者等の来訪者、ストーカー加害者、指名手配犯等の要注意人物の最新の指紋データが登録されている。
【００５８】
次に、図１のシステム説明図において、複数の住戸の住戸玄関にそれぞれ設置された玄関子機１ａ、１ｂ、１ｃ、１ｄ、・・・１ｎのうち、ここでは、玄関子機１ａが設置された住戸玄関に居る人物が帰宅時における居住者であった場合、この居住者が玄関子機１ａの呼出ボタン１０に自己の指を触れると、指紋検出部１０ａにて指紋データが検出される。この指紋データは、図３のブロック図に示す玄関子機１ａの子機ＣＰＵ１３から子機Ｉ／Ｆ１４、子機ラインＬ1a、室内親機４ａの子機側親機Ｉ／Ｆ４５を介して親機ＣＰＵ４３へと伝送される。
【００５９】
図３のブロック図において、室内親機４ａの親機ＣＰＵ４３は、玄関子機１ａからの指紋データと居住者用メモリ４４ａに登録されている複数の指紋データとを照合する。ここでは、居住者用メモリ４４ａに登録されている指紋データと一致することから、これを検出した親機ＣＰＵ４３は、帰宅時における居住者からの解錠操作があった旨の確認音（音声メッセージを含む）を呼出報知／通話部４０から放音させるとともに、同様に検出された旨の解錠確認データをモニタ４１に出画し、併せて施錠されている電気錠２ａを解錠させるための解錠制御信号を生成する。この解錠制御信号は、親機ＣＰＵ４３から電気錠側親機Ｉ／Ｆ４６、電気錠ラインＬ2aを介して同図および図１のシステム説明図に示す電気錠２ａへと伝送され、電気錠２ａを解錠させることにより、帰宅時における居住者は、解錠された玄関ドアを介して住戸内に入ることができる。
【００６０】
次に、図１のシステム説明図において、玄関子機１ａが設置された住戸玄関に居る人物が帰宅時における居住者以外の人物であった場合、この人物が玄関子機１ａの呼出ボタン１０を操作すると、指紋検出部１０ａにて指紋データが検出される。図３のブロック図に示す玄関子機１ａの子機ＣＰＵ１３は、呼出ボタン１０が操作された旨の呼出信号と前述の指紋データとを子機Ｉ／Ｆ１４、子機ラインＬ1a、室内親機４ａの子機側親機Ｉ／Ｆ４５を介して親機ＣＰＵ４３に出力する。
【００６１】
図３のブロック図において、室内親機４ａの親機ＣＰＵ４３は、玄関子機１ａからの呼出信号および指紋データのうち、呼出信号をもとに住戸玄関に居る人物からの呼び出しがあることを検出し、その旨の呼出音（音声メッセージを含む）を呼出報知／通話部４０から放音させるとともに、同様に検出された旨の呼出報知データをモニタ４１に出画させ、併せて玄関子機１ａの子機カメラ１１および／または外部カメラ３ａを駆動させるための駆動制御信号を生成、ここでは、玄関子機１ａの子機カメラ１１を駆動させるための駆動制御信号を生成し前述の呼出信号および指紋データと逆の経路を介して玄関子機１ａの子機ＣＰＵ１３に出力する。
【００６２】
また、玄関子機１ａの子機ＣＰＵ１３は、室内親機４ａからの駆動制御信号をもとに子機カメラ１１を駆動して呼出操作を行った人物（住戸玄関の周囲環境を含む）の映像の撮像を開始させる。この子機カメラ１１にて撮像された映像は、適宜、信号処理された映像信号として、子機Ｉ／Ｆ１４、子機ラインＬ1a、室内親機４ａの子機側親機Ｉ／Ｆ４５、親機ＣＰＵ４３を介してモニタ４１へと伝送されることにより、モニタ４１には、呼出操作を行った人物（住戸玄関の周囲環境を含む）の映像を出画させることができる。
【００６３】
さらに、玄関子機１ａからの呼出信号および指紋データのうち、呼出信号をもとに住戸玄関に居る人物からの呼び出しがあることを検出した室内親機４ａの親機ＣＰＵ４３は、玄関子機１ａからの指紋データと居住者用メモリ４４ａに登録されている複数の指紋データとを照合する。ここでは、指紋データが一致しないことから、これを検出した親機ＣＰＵ４３は、玄関子機１ａからの指紋データの情報を外部サーバ６へと問い合せるため、この指紋データを外部サーバ側親機Ｉ／Ｆ４９、ネットワーク７を介して外部サーバ６に出力する。
【００６４】
ここで、玄関子機１ａから室内親機４ａを介した指紋データが外部サーバ６の警戒用メモリ６０ａに登録されている指紋データと一致した場合、すなわち、玄関子機１ａにて呼出操作を行った人物が居住者にとって好ましくない悪質な訪問販売員、新興宗教の勧誘者等の来訪者、ストーカー加害者、指名手配犯等の要注意人物であった場合には、その旨の警報音（音声メッセージを含む）の放音や警報報知データの出画が警報報知部６１ａにて行われるとともに、警報報知信号が生成される。この警報報知信号は、前述の指紋データと逆の経路を介して室内親機４ａの親機ＣＰＵ４３へと伝送される。
【００６５】
室内親機４ａの親機ＣＰＵ４３は、外部サーバ６からの警報報知信号をもとに、玄関子機１ａにて呼出操作を行った人物が居住者にとって好ましくない悪質な訪問販売員、新興宗教の勧誘者等の来訪者、ストーカー加害者、指名手配犯等の要注意人物であり、その旨の警報音（音声メッセージを含む）を呼出報知／通話部４０から放音させるとともに、同様に検出された旨の警報報知データをモニタ４１に出画させることができる。
【００６６】
一方、玄関子機１ａから室内親機４ａを介した指紋データが外部サーバ６の警戒用メモリ６０に登録されている指紋データと一致しなかった場合、この外部サーバ６では、指紋データを犯暦情報等と照合する方法を使用して新たな指名手配犯等の要注意人物の情報を発見することができる。
【００６７】
また、室内親機４ａの呼出報知／通話部４０から放音された呼出音（音声メッセージを含む）およびモニタ４１に出画された映像をもとに、呼出操作を行った人物を当該人物の識別と併せて確認した居住者が必要に応じて適宜、応答すると、この居住者が使用する呼出報知／通話部４０から子機側親機Ｉ／Ｆ４５、子機ラインＬ1a、玄関子機１ａの子機Ｉ／Ｆ１４を介して呼出元の人物が使用する通話部１２との間の通話路が形成され、形成された通話路を介して音声信号を送受信させることにより通話が成立する。
【００６８】
なお、本発明の第２の実施例においては、玄関子機１ａからの呼出信号をもとに住戸玄関に居る人物からの呼び出しがあることを検出した室内親機４ａの親機ＣＰＵ４３が駆動制御する当該カメラを玄関子機１ａの子機カメラ１１のみとし、この子機カメラ１１にて撮像された映像をモニタ４１に出画させたが、これに限定されず、玄関子機１ａの子機カメラ１１および／または外部カメラ３ａを駆動させ、駆動された当該カメラにて撮像された映像をモニタ４１に出画することができる。
［第３の実施例］
次に、本発明の第３の実施例によるインターホンシステムについて説明する。
【００６９】
なお、本発明の第３の実施例において、前述の第１、第２の各実施例と同様な構成（および動作）についての説明は省略する。
【００７０】
図４は、本発明の第３の実施例によるインターホンシステムの具体的な構成を示すブロック図である。
【００７１】
図４のブロック図に示すインターホンシステムにおいて、玄関子機１ａ、１ｂ、１ｃ、１ｄ、・・・１ｎはそれぞれ同様な構成であり、指紋検出部１０ａを除く呼出ボタン１０、子機カメラ１１、通話部１２、子機ＣＰＵ１３、子機Ｉ／Ｆ１４が備えられている。
【００７２】
また、室内親機４ａ、４ｂ、４ｃ、４ｄ、・・・４ｎはそれぞれ同様な構成であり、呼出報知／通話部４０、モニタ４１、操作部４２、親機ＣＰＵ４３、子機側親機Ｉ／Ｆ４５、電気錠側親機Ｉ／Ｆ４６、カメラ側親機Ｉ／Ｆ４７、他住戸側親機Ｉ／Ｆ４８、外部サーバ側親機Ｉ／Ｆ４９と、玄関子機１ａ、１ｂ、１ｃ、１ｄ、・・・１ｎのカメラ１１および／または外部カメラ３ａ、３ｂ、３ｃ、３ｄ、・・・３ｎにて撮像され、モニタ４１に出画される映像のうち呼出操作を行った人物の特徴である顔画像（以下、顔画像データという。）を認識するための顔画像認識部５０と、顔画像認識部５０にて認識された顔画像データと照合するための顔画像データを登録させるにあたり、書換手段をなす親機ＣＰＵ４３の制御により書き換えが可能であり、帰宅時における居住者の顔画像データが登録されるＲＡＭ等の居住者用メモリ５１ａおよび当該居住者用メモリとグループ分けされ、居住者にとって好ましくない悪質な訪問販売員、新興宗教の勧誘者等の来訪者、ストーカー加害者、指名手配犯等の要注意人物の顔画像データが登録されるＲＡＭ等の警戒用メモリ５１ｂとが備えられている。
【００７３】
このように構成された本発明の第３の実施例によるインターホンシステムにおいて、以下、具体的な動作について、図１のシステム説明図および図４のブロック図をそれぞれ参照して説明する。
【００７４】
図１のシステム説明図において、警備会社や警察署等に設置された外部サーバ６は、居住者にとって好ましくない悪質な訪問販売員、新興宗教の勧誘者等の来訪者、ストーカー加害者、指名手配犯等の注意度に応じて割り当てられた識別符号が異なる要注意人物の最新の顔画像データ（以下、外部配信顔画像データという。）を定期的にネットワーク７へと配信している。この外部配信顔画像データは、外部サーバ６からネットワーク７、図４のブロック図に示す各室内親機４ａ、４ｂ、４ｃ、４ｄ、・・・４ｎの外部サーバ側親機Ｉ／Ｆ４９を介して親機ＣＰＵ４３へとそれぞれ伝送される。
【００７５】
図４のブロック図において、各室内親機４ａ、４ｂ、４ｃ、４ｄ、・・・４ｎの親機ＣＰＵ４３は、それぞれ外部サーバ６からの外部配信顔画像データを警戒用メモリ５１ｂへと送出し、当該警戒用メモリに登録させるデータをそれぞれ更新することができ、この警戒用メモリ５１ｂには、居住者にとって好ましくない悪質な訪問販売員、新興宗教の勧誘者等の来訪者、ストーカー加害者、指名手配犯等の要注意人物の顔画像データが登録されることになる。
【００７６】
次に、図１のシステム説明図において、複数の住戸の住戸玄関にそれぞれ設置された玄関子機１ａ、１ｂ、１ｃ、１ｄ、・・・１ｎのうち、ここでは、玄関子機１ａが設置された住戸玄関に居る人物が玄関子機１ａの呼出ボタン１０を操作すると、この操作を検出した図４のブロック図に示す玄関子機１ａの子機ＣＰＵ１３から子機Ｉ／Ｆ１４、子機ラインＬ1a、室内親機４ａの子機側親機Ｉ／Ｆ４５を介して親機ＣＰＵ４３へと呼出信号が伝送される。
【００７７】
図４のブロック図において、室内親機４ａの親機ＣＰＵ４３は、玄関子機１ａからの呼出信号をもとに住戸玄関に居る人物からの呼び出しがあることを検出し、その旨の呼出音（音声メッセージを含む）を呼出報知／通話部４０から放音させるとともに、同様に検出された旨の呼出報知データをモニタ４１に出画させ、併せて玄関子機１ａの子機カメラ１１および／または外部カメラ３ａを駆動させるための駆動制御信号を生成、ここでは、玄関子機１ａの子機カメラ１１および外部カメラ３ａをそれぞれ駆動させるための駆動制御信号を生成する。この駆動制御信号は、前述の呼出信号と逆の経路を介して玄関子機１ａの子機ＣＰＵ１３へと伝送されるとともに、親機ＣＰＵ４３からカメラ側親機Ｉ／Ｆ４７、カメララインＬ3aを介して外部カメラ３ａへと伝送される。
【００７８】
また、玄関子機１ａの子機ＣＰＵ１３は、室内親機４ａからの駆動制御信号をもとに子機カメラ１１を駆動して呼出操作を行った人物（住戸玄関の周囲環境を含む）の映像の撮像を開始させる。この子機カメラ１１にて撮像された映像は、適宜、信号処理された映像信号として、子機カメラ１１から子機Ｉ／Ｆ１４、子機ラインＬ1a、室内親機４ａの子機側親機Ｉ／Ｆ４５を介して親機ＣＰＵ４３へと伝送される。
【００７９】
また、外部カメラ３ａは、室内親機４ａからの駆動制御信号をもとに駆動して呼出操作を行った人物を含む住戸玄関の周囲近傍の映像の撮像を開始する。この外部カメラ３ａにて撮像された映像は、適宜、信号処理された映像信号として、カメララインＬ3a、室内親機４ａのカメラ側親機Ｉ／Ｆ４７を介して親機ＣＰＵ４３へと伝送される。
【００８０】
さらに、室内親機４ａの親機ＣＰＵ４３は、玄関子機１ａの子機カメラ１１および外部カメラ３ａにてそれぞれ撮像された映像をモニタ４１に出画させるとともに、顔画像認識部５０を制御してモニタ４１に出画された映像のうち呼出操作を行った人物の特徴である顔画像データを認識させ、認識された顔画像データと居住者用メモリ５１ａおよび警戒用メモリ５１ｂにそれぞれ登録されている複数の顔画像データとを照合する。
【００８１】
ここで、室内親機４ａの顔画像認識部５０にて認識された顔画像データが居住者用メモリ５１ａに登録されている顔画像データと一致した場合、すなわち、玄関子機１ａにて呼出操作を行った人物が帰宅時における居住者であった場合には、これを検出した親機ＣＰＵ４３の制御により、帰宅時における居住者からの解錠操作があった旨の確認音（音声メッセージを含む）が呼出報知／通話部４０から放音されるとともに、同様に検出された旨の解錠確認データがモニタ４１に出画され、併せて施錠されている電気錠２ａを解錠させるための解錠制御信号が生成される。この解錠制御信号は、親機ＣＰＵ４３から電気錠側親機Ｉ／Ｆ４６、電気錠ラインＬ2aを介して同図および図１のシステム説明図に示す電気錠２ａへと伝送され、電気錠２ａを解錠させることにより、帰宅時における居住者は、解錠された玄関ドアを介して住戸内に入ることができる。
【００８２】
一方、室内親機４ａの顔画像認識部５０にて認識された顔画像データが警戒用メモリ５１ｂに登録されている顔画像データと一致した場合、すなわち、玄関子機１ａにて呼出操作を行った人物が居住者にとって好ましくない悪質な訪問販売員、新興宗教の勧誘者等の来訪者、ストーカー加害者、指名手配犯等の要注意人物であった場合には、これを検出した親機ＣＰＵ４３の制御により、その旨の警報音（音声メッセージを含む）が呼出報知／通話部４０から放音されるとともに、同様に検出された旨の警報報知データがモニタ４１に出画され、併せて外部サーバ６に通報（警報移報）するための警報信号が生成される。この警報信号は、親機ＣＰＵ４３から外部サーバ側親機Ｉ／Ｆ４９、ネットワーク７を介して外部サーバ６へと伝送される。
【００８３】
外部サーバ６では、室内親機４ａからの警報信号を検出すると、玄関子機１ａにて呼出操作を行った人物が居住者にとって好ましくない悪質な訪問販売員、新興宗教の勧誘者等の来訪者、ストーカー加害者、指名手配犯等の要注意人物であった旨の自動通報が行われる。
【００８４】
また、室内親機４ａの顔画像認識部５０にて認識された顔画像データが居住者用メモリ５１ａおよび警戒用メモリ５１ｂにそれぞれ登録されている複数の顔画像データと何れも一致せず、呼出報知／通話部４０から放音された呼出音（音声メッセージを含む）およびモニタ４１に出画された映像をもとに、呼出操作を行った人物を当該人物の識別と併せて確認した居住者が必要に応じて適宜、応答すると、この居住者が使用する呼出報知／通話部４０から子機側親機Ｉ／Ｆ４５、子機ラインＬ1a、玄関子機１ａの子機Ｉ／Ｆ１４を介して呼出元の人物が使用する通話部１２との間の通話路が形成され、形成された通話路を介して音声信号を送受信させることにより通話が成立する。
【００８５】
また、室内親機４ａの顔画像認識部５０にて認識された顔画像データが居住者用メモリ５１ａおよび警戒用メモリ５１ｂにそれぞれ登録されている複数の顔画像データと何れも一致せず、モニタ４１に出画されている映像をもとに呼出操作を行った人物が新たな要注意人物であると認識した居住者が、操作部４２にて所定の登録／転送操作（詳述せず）を行うと、この操作を検出した親機ＣＰＵ４３の制御により、顔画像認識部５０にて認識された顔画像データが警戒用メモリ５１ｂへと新たに登録されるとともに、この顔画像データが前述の警報信号と同様な経路を介して外部サーバ６へと伝送（転送）される。
【００８６】
外部サーバ６では、室内親機４ａからの顔画像データを犯暦情報等と照合する方法を使用して新たな指名手配犯等の要注意人物の情報を発見することができる。
【００８７】
次に、複数の住戸の住戸内にそれぞれ設置された室内親機４ａ、４ｂ、４ｃ、４ｄ、・・・４ｎのうち、ここでは、室内親機４ｂが設置された住戸内に在室中の居住者にとって好ましくない悪質な訪問販売員、新興宗教の勧誘者等の来訪者、ストーカー加害者、指名手配犯等の要注意人物の顔画像データが警戒用メモリ５１ｂに予め登録されている場合において、近隣の住戸への警戒設定を行うために操作部４２にて所定の設定操作（詳述せず）が行われると、この操作を検出した親機ＣＰＵ４３の制御により、近隣の住戸へ訪れる虞がある要注意人物の情報として警戒用メモリ５１ｂから要注意人物の顔画像データが読み出される。この顔画像データには室内親機４ａ、４ｃをそれぞれ指定するための選局アドレスが付加され、親機ＣＰＵ４３から他住戸側親機Ｉ／Ｆ４８、無線ネットワーク５、室内親機４ｂを除く他の当該室内親機である各室内親機４ａ、４ｃ、４ｄ、・・・４ｎの他住戸側親機Ｉ／Ｆ４８を介して親機ＣＰＵ４３へとそれぞれ伝送される。
【００８８】
室内親機４ｂを除く他の当該室内親機である各室内親機４ａ、４ｃ、４ｄ、・・・４ｎの親機ＣＰＵ４３は、それぞれ室内親機４ｂからの顔画像データに付加されている選局アドレスと自親機のアドレスとを照合し、一致した場合にのみ警戒用メモリ５１ｂへと顔画像データを新たに登録することができる。ここでは、各室内親機４ａ、４ｃの親機ＣＰＵ４３にてアドレスが一致し、室内親機４ｂからの顔画像データを警戒用メモリ５１ｂへとそれぞれ新たに登録して共有することができる。
【００８９】
また、室内親機４ｂからの顔画像データが警戒用メモリ５１ｂへとそれぞれ新たに登録された各室内親機４ａ、４ｃのうち、ここでは、室内親機４ｃでは、この顔画像データに該当する要注意人物により玄関子機１ｃの呼出ボタン１０が操作された場合、顔画像認識部５０にて認識された顔画像データと警戒用メモリ５１ｂに登録されている指紋データとが一致し、これを検出した親機ＣＰＵ４３の制御により、その旨の警報音（音声メッセージを含む）が呼出報知／通話部４０から放音されるとともに、同様に検出された旨の警報報知データがモニタ４１に出画され、併せて外部サーバ６に通報（警報移報）するための警報信号が生成されて当該外部サーバにて前述のような警報報知が行われるばかりでなく、警戒用メモリ５１ｂに登録されている顔画像データを、親機ＣＰＵ４３から他住戸側親機Ｉ／Ｆ４８、無線ネットワーク５、室内親機４ｃの近隣である室内親機４ｄの他住戸側親機Ｉ／Ｆ４８を介して親機ＣＰＵ４３へと伝送させ、この親機ＣＰＵ４３の制御により室内親機４ｃからの顔画像データを警戒用メモリ５１ｂへと新たに登録して共有することができる。
【００９０】
前述のように、室内親機４ｂが設置された住戸内に在室中の居住者にとって好ましくない悪質な訪問販売員、新興宗教の勧誘者等の来訪者、ストーカー加害者、指名手配犯等の要注意人物の顔画像データを、この要注意人物の移動範囲に応じて伝送範囲を拡充することができ、データ伝送の信頼性／精度も高められる。
【００９１】
また、各室内親機４ａ、４ｂ、４ｃ、４ｄ、・・・４ｎの警戒用メモリ５１ｂにそれぞれ登録される顔画像データは一定時間後に削除されるばかりでなく、この削除までの期間は、外部サーバ６から配信される外部配信顔画像データと同様、居住者にとって好ましくない悪質な訪問販売員、新興宗教の勧誘者等の来訪者、ストーカー加害者、指名手配犯等要注意人物の注意度に応じて付与された識別符号に基づき可変されることから、警戒用メモリ５１ｂの容量に影響を与えずに当該メモリの有効利用が図れる。
【００９２】
なお、本発明の第３の実施例においては、玄関子機１ａからの呼出信号をもとに住戸玄関に居る人物からの呼び出しがあることを検出した室内親機４ａの親機ＣＰＵ４３が駆動制御する当該カメラとして、玄関子機１ａの子機カメラ１１および／または外部カメラ３ａの２つのカメラを駆動させたが、何れか一方のカメラを駆動させることにより、顔画像認識部５０にて顔画像データを認識することができる。
［第４の実施例］
次に、本発明の第４の実施例によるインターホンシステムについて説明する。
【００９３】
なお、本発明の第４の実施例において、前述の第１〜第３の各実施例と同様な構成（および動作）についての説明は省略する。
【００９４】
図５は、本発明の第４の実施例によるインターホンシステムの具体的な構成を示すブロック図である。
【００９５】
図５のブロック図に示すインターホンシステムにおいて、室内親機４ａ、４ｂ、４ｃ、４ｄ、・・・４ｎはそれぞれ同様な構成であり、呼出報知／通話部４０、モニタ４１、操作部４２、親機ＣＰＵ４３、子機側親機Ｉ／Ｆ４５、電気錠側親機Ｉ／Ｆ４６、カメラ側親機Ｉ／Ｆ４７、他住戸側親機Ｉ／Ｆ４８、外部サーバ側親機Ｉ／Ｆ４９、顔画像認識部５０、居住者用メモリ５１ａが備えられている。
【００９６】
また、外部サーバ６は、居住者にとって好ましくない悪質な訪問販売員、新興宗教の勧誘者等の来訪者、ストーカー加害者、指名手配犯等の要注意人物の最新の顔画像データが登録される警戒用メモリ６０ｂと、警戒用メモリ６０ｂに登録された顔画像データが一致した場合に警報を発報するためのスピーカ、ＣＲＴ、ＬＣＤ、有機ＥＬディスプレイ等の警報報知部６１ｂとが備えられている。
【００９７】
このように構成された本発明の第４の実施例によるインターホンシステムにおいて、以下、具体的な動作について、図１のシステム説明図および図５のブロック図をそれぞれ参照して説明する。
【００９８】
図５のブロック図において、警備会社や警察署等に設置された外部サーバ６の警戒用メモリ６０ｂには、居住者にとって好ましくない悪質な訪問販売員、新興宗教の勧誘者等の来訪者、ストーカー加害者、指名手配犯等の要注意人物の最新の顔画像データが登録されている。
【００９９】
次に、図５のシステム説明図において、複数の住戸の住戸玄関にそれぞれ設置された玄関子機１ａ、１ｂ、１ｃ、１ｄ、・・・１ｎのうち、ここでは、玄関子機１ａが設置された住戸玄関に居る人物が玄関子機１ａの呼出ボタン１０を操作すると、この操作を検出した図５のブロック図に示す玄関子機１ａの子機ＣＰＵ１３から子機Ｉ／Ｆ１４、子機ラインＬ1a、室内親機４ａの子機側親機Ｉ／Ｆ４５を介して親機ＣＰＵ４３へと呼出信号が伝送される。
【０１００】
図５のブロック図において、室内親機４ａの親機ＣＰＵ４３は、玄関子機１ａからの呼出信号をもとに住戸玄関に居る人物からの呼び出しがあることを検出し、その旨の呼出音（音声メッセージを含む）を呼出報知／通話部４０から放音させるとともに、同様に検出された旨の呼出報知データをモニタ４１に出画させ、併せて玄関子機１ａの子機カメラ１１および／または外部カメラ３ａを駆動させるための駆動制御信号を生成、ここでは、玄関子機１ａの子機カメラ１１および外部カメラ３ａをそれぞれ駆動させるための駆動制御信号を生成する。この駆動制御信号は、前述の呼出信号と逆の経路を介して玄関子機１ａの子機ＣＰＵ１３へと伝送されるとともに、親機ＣＰＵ４３からカメラ側親機Ｉ／Ｆ４７、カメララインＬ3aを介して外部カメラ３ａへと伝送される。
【０１０１】
また、玄関子機１ａの子機ＣＰＵ１３は、室内親機４ａからの駆動制御信号をもとに子機カメラ１１を駆動して呼出操作を行った人物（住戸玄関の周囲環境を含む）の映像の撮像を開始させる。この子機カメラ１１にて撮像された映像は、適宜、信号処理された映像信号として、子機カメラ１１から子機Ｉ／Ｆ１４、子機ラインＬ1a、室内親機４ａの子機側親機Ｉ／Ｆ４５を介して親機ＣＰＵ４３へと伝送される。
【０１０２】
また、外部カメラ３ａは、室内親機４ａからの駆動制御信号をもとに駆動して呼出操作を行った人物を含む住戸玄関の周囲近傍の映像の撮像を開始する。この外部カメラ３ａにて撮像された映像は、適宜、信号処理された映像信号として、カメララインＬ3a、室内親機４ａのカメラ側親機Ｉ／Ｆ４７を介して親機ＣＰＵ４３へと伝送される。
【０１０３】
さらに、室内親機４ａの親機ＣＰＵ４３は、玄関子機１ａの子機カメラ１１および外部カメラ３ａにてそれぞれ撮像された映像をモニタ４１に出画させるとともに、顔画像認識部５０を制御してモニタ４１に出画された映像のうち呼出操作を行った人物の特徴である顔画像データを認識させ、認識された顔画像データと居住者用メモリ５１ａに登録されている複数の顔画像データとを照合する。
【０１０４】
ここで、室内親機４ａの顔画像認識部５０にて認識された顔画像データが居住者用メモリ５１ａに登録されている顔画像データと一致した場合、すなわち、玄関子機１ａにて呼出操作を行った人物が帰宅時における居住者であった場合には、これを検出した親機ＣＰＵ４３の制御により、帰宅時における居住者からの解錠操作があった旨の確認音（音声メッセージを含む）が呼出報知／通話部４０から放音されるとともに、同様に検出された旨の解錠確認データがモニタ４１に出画され、併せて施錠されている電気錠２ａを解錠させるための解錠制御信号が生成される。この解錠制御信号は、親機ＣＰＵ４３から電気錠側親機Ｉ／Ｆ４６、電気錠ラインＬ2aを介して同図および図１のシステム説明図に示す電気錠２ａへと伝送され、電気錠２ａを解錠させることにより、帰宅時における居住者は、解錠された玄関ドアを介して住戸内に入ることができる。
【０１０５】
一方、室内親機４ａの顔画像認識部５０にて認識された顔画像データが居住者用メモリ５１ａに登録されている顔画像データと一致しなかった場合には、これを検出した親機ＣＰＵ４３の制御により、顔画像認識部５０にて認識された顔画像データの情報を外部サーバ６へと問い合せるため、この顔画像データを外部サーバ側親機Ｉ／Ｆ４９、ネットワーク７を介して外部サーバ６に出力する。
【０１０６】
ここで、室内親機４ａからの顔画像データが外部サーバ６の警戒用メモリ６０ｂに登録されている顔画像データと一致した場合、すなわち、玄関子機１ａにて呼出操作を行った人物が居住者にとって好ましくない悪質な訪問販売員、新興宗教の勧誘者等の来訪者、ストーカー加害者、指名手配犯等の要注意人物であった場合には、その旨の警報音（音声メッセージを含む）の放音や警報報知データの出画が警報報知部６１ｂにて行われるとともに、警報報知信号が生成される。この警報報知信号は、前述の顔画像データと逆の経路を介して室内親機４ａの親機ＣＰＵ４３へと伝送される。
【０１０７】
室内親機４ａの親機ＣＰＵ４３は、外部サーバ６からの警報報知信号をもとに、玄関子機１ａにて呼出操作を行った人物が居住者にとって好ましくない悪質な訪問販売員、新興宗教の勧誘者等の来訪者、ストーカー加害者、指名手配犯等の要注意人物であり、その旨の警報音（音声メッセージを含む）を呼出報知／通話部４０から放音させるとともに、同様に検出された旨の警報報知データをモニタ４１に出画させることができる。
【０１０８】
一方、室内親機４ａからの顔画像データが外部サーバ６の警戒用メモリ６０ｂに登録されている顔画像データと一致しなかった場合、この外部サーバ６では、顔画像データを犯暦情報等と照合する方法を使用して新たな指名手配犯等の要注意人物の情報を発見することができる。
【０１０９】
また、室内親機４ａの呼出報知／通話部４０から放音された呼出音（音声メッセージを含む）およびモニタ４１に出画された映像をもとに、呼出操作を行った人物を当該人物の識別と併せて確認した居住者が必要に応じて適宜、応答すると、この居住者が使用する呼出報知／通話部４０から子機側親機Ｉ／Ｆ４５、子機ラインＬ1a、玄関子機１ａの子機Ｉ／Ｆ１４を介して呼出元の人物が使用する通話部１２との間の通話路が形成され、形成された通話路を介して音声信号を送受信させることにより通話が成立する。
【０１１０】
なお、本発明の第４の実施例においては、玄関子機１ａからの呼出信号をもとに住戸玄関に居る人物からの呼び出しがあることを検出した室内親機４ａの親機ＣＰＵ４３が駆動制御する当該カメラとして、玄関子機１ａの子機カメラ１１および／または外部カメラ３ａの２つのカメラを駆動させたが、何れか一方のカメラを駆動させることにより、顔画像認識部５０にて顔画像データを認識することができる。
［その他の実施例］
前述の説明から明らかなように、室内親機４ａ、４ｂ、４ｃ、４ｄ、・・・４ｎの警戒用メモリ４４ｂ、５１ｂに登録されたデータ（指紋データ、顔画像データ）を近隣の住戸へと伝送させるにあたり、データを送受信させるインターフェースとして、当該室内親機に他住戸側親機Ｉ／Ｆ４８を適用したが、これに限定されず、玄関子機１ａ、１ｂ、１ｃ、１ｄ、・・・１ｎ側に同様なインターフェースを備えることもでき、この場合には、インターフェースが住戸外、すなわち、住戸玄関に設けられることから、データ伝送の信頼性／精度が向上し長距離の伝送も可能となる。
【０１１１】
また、前述の説明から明らかなように、居住者にとって好ましくない要注意人物を早期に発見／通報して防犯性および安全性を高めにあたり、玄関子機１ａ、１ｂ、１ｃ、１ｄ、・・・１ｎにて呼出操作を行った人物を識別する方法として、本発明の第１、第２の各実施例（図２、図３の各ブロック図を参照）に開示した呼出ボタン１０と一体の指紋検出部１０ａにて検出される指紋データを使用する指紋照合、或いは、本発明の第３、第４の各実施例（図４、図５の各ブロック図を参照）に開示した子機カメラ１１および／または外部カメラ３ａ、３ｂ、３ｃ、３ｄ、・・・３ｎにて撮像された映像から顔画像認識部５０にて顔画像データを認識させる顔画像認識を適用させたが、前述の指紋照合および顔画像認識をそれぞれ併用して行うこともでき、本発明の第１〜第４の各実施例と同様な効果を奏する。
【図面の簡単な説明】
【０１１２】
【図１】本発明の各実施例によるインターホンシステムの構成を示すシステム説明図。
【図２】本発明の第１の実施例によるインターホンシステムの具体的な構成を示すブロック図。
【図３】本発明の第２の実施例によるインターホンシステムの具体的な構成を示すブロック図。
【図４】本発明の第３の実施例によるインターホンシステムの具体的な構成を示すブロック図。
【図５】本発明の第４の実施例によるインターホンシステムの具体的な構成を示すブロック図。
【符号の説明】
【０１１３】
１ａ、１ｂ、１ｃ、１ｄ、・・・１ｎ……玄関子機
１０……呼出ボタン
１０ａ……指紋検出部
２ａ、２ｂ、２ｃ、２ｄ、・・・２ｎ……電気錠
３ａ、３ｂ、３ｃ、３ｄ、・・・３ｎ……外部カメラ
４ａ、４ｂ、４ｃ、４ｄ、・・・４ｎ……室内親機
４３……親機ＣＰＵ（書換手段）
４４ａ（５１ａ）……居住者用メモリ
４４ｂ（５１ｂ）……警戒用メモリ
４８……他住戸側親機Ｉ／Ｆ（インターフェース）
４９……外部サーバ側親機Ｉ／Ｆ（インターフェース）
５０……顔画像認識部
６……外部サーバ
６０ａ（６０ｂ）……警戒用メモリ
６１ａ（６１ｂ）……警報報知部
７……ネットワーク
【図１】
2006101199.tif 000003
【図２】
2006101199.tif 000004
【図３】
2006101199.tif 000005
【図４】
2006101199.tif 000006
【図５】
2006101199.tif 000007